(57)【要約】【課題】画像読取装置が画像記録装置に対し装置前方に突出するように設けられていると、装置全体として前後方向寸法が大きくなってしまう。【解決手段】記録装置は、媒体に記録を行う記録部と、記録の行われた媒体を排出する媒体排出手段と、前記媒体排出手段により排出される媒体を受ける媒体受け部と、前記記録部により記録が行われた媒体の直近の記録面を内側にして湾曲反転させて前記媒体排出手段に導くフェイスダウン排出経路と、装置の外郭を構成する筐体の上部に設けられた、原稿が移動する原稿移動経路と、前記原稿移動経路に設けられた、原稿を読み取る読み取り手段と、を備えている。前記媒体受け部が、前記原稿移動経路へ原稿を差し入れる際に原稿を支持し、または、前記原稿移動経路から抜け出た原稿を支持する支持トレイを兼ねる。【選択図】図１
2020050520.tif 000002
【特許請求の範囲】
【請求項１】
媒体に記録を行う記録部と、
記録の行われた媒体を排出する媒体排出手段と、
前記媒体排出手段により排出される媒体を受ける媒体受け部と、
前記記録部により記録が行われた媒体の直近の記録面を内側にして湾曲反転させて前記媒体排出手段に導くフェイスダウン排出経路と、
装置の外郭を構成する筐体の上部に設けられた、原稿が移動する原稿移動経路と、
前記原稿移動経路に設けられた、原稿を読み取る読み取り手段と、を備え、
前記媒体受け部が、前記原稿移動経路へ原稿を差し入れる際に原稿を支持し、または、前記原稿移動経路から抜け出た原稿を支持する支持トレイを兼ねる、
ことを特徴とする記録装置。
【請求項２】
請求項１に記載の記録装置において、前記原稿移動経路は、水平に沿った経路である、ことを特徴とする記録装置。
【請求項３】
請求項２に記載の記録装置において、前記読み取り手段は、前記原稿移動経路に対して上側に位置している、
ことを特徴とする記録装置。
【請求項４】
請求項２または請求項３に記載の記録装置において、前記媒体排出手段が、装置奥行き方向において前方寄りに位置するとともに装置後方に向けて媒体を排出し、
前記媒体受け部は、前記媒体排出手段に対して装置後方に位置し、
装置前面には、原稿を前記原稿移動経路に差し入れる開口部が設けられ、
前記媒体排出手段が、前記開口部から差し入れられた原稿を前記読み取り手段に向けて送る原稿送り手段を兼ねる、
ことを特徴とする記録装置。
【請求項５】
請求項４に記載の記録装置において、前記記録部から前記フェイスダウン排出経路を経て前記媒体排出手段に至る媒体が、前記媒体排出手段から送り力を受けて前記読み取り手段と対向する位置に搬送される、
ことを特徴とする記録装置。
【請求項６】
請求項１から請求項５のいずれか一項に記載の記録装置において、鉛直方向において前記媒体受け部と、前記原稿移動経路とが、オーバーラップする部位を有する、
ことを特徴とする記録装置。
【請求項７】
請求項１から請求項６のいずれか一項に記載の記録装置において、前記記録部の下側に位置する媒体収容部から送り出された媒体を湾曲反転させて前記記録部に導く媒体給送経路を備え、
前記媒体給送経路と前記フェイスダウン排出経路とが、鉛直方向においてオーバーラップする部位を有する、
ことを特徴とする記録装置。
【請求項８】
媒体に記録を行う記録部と、
記録の行われた媒体を排出する媒体排出手段と、
前記記録部により記録が行われた媒体を前記媒体排出手段に導く媒体排出経路と、を備え、
前記媒体排出経路に、原稿を読み取る読み取り手段が設けられている、
ことを特徴とする記録装置。
【請求項９】
請求項８に記載の記録装置において、前記媒体排出経路は、前記記録部により記録が行われた媒体の直近の記録面を内側にして湾曲反転させて前記媒体排出手段に導くフェイスダウン排出経路として構成され、
前記記録部により記録が行われた媒体の直近の記録面を上にして、媒体を湾曲反転させずに媒体を排出するフェイスアップ排出経路を更に備え、
前記読み取り手段は、前記フェイスダウン排出経路における上流位置であって、前記フェイスアップ排出経路を経て排出される媒体が通る位置に設けられている、
ことを特徴とする記録装置。
【請求項１０】
媒体に記録を行う記録部を備え、前記記録部により媒体に記録を行う際の媒体搬送方向と交差する方向である幅方向に移動するキャリッジと、
記録の行われた媒体を排出する媒体排出手段と、
前記媒体排出手段により排出される媒体を受ける媒体受け部と、
前記記録部により記録が行われた媒体の直近の記録面を内側にして湾曲反転させて前記媒体排出手段に導くフェイスダウン排出経路と、
原稿が移動する原稿移動経路と、
前記原稿移動経路に設けられた、原稿を読み取る読み取り手段と、を備え、
前記キャリッジと前記読み取り手段とが、鉛直方向においてオーバーラップする部位を有する、
ことを特徴とする記録装置。
【請求項１１】
請求項１、請求項８、および請求項１０のいずれか一項に記載の記録装置において、媒体の搬送経路において前記記録部より下流に最初に位置し、媒体を前記搬送経路の下流に送る送りローラー対を備え、
前記読み取り手段が、装置奥行き方向において前記送りローラー対より装置前方に位置する、
ことを特徴とする記録装置。
【請求項１２】
請求項１、請求項８、および請求項１０のいずれか一項に記載の記録装置において、前記記録部の下側に、給送前の媒体を収容する媒体収容部が設けられ、
前記読み取り手段と前記媒体収容部とが、装置奥行き方向においてオーバーラップする部位を有する、
ことを特徴とする記録装置。
【請求項１３】
請求項１および請求項１０に記載の記録装置において、前記読み取り手段と前記フェイスダウン排出経路とが、装置奥行き方向でオーバーラップする部位を有する、
ことを特徴とする記録装置。
【請求項１４】
請求項１、請求項８、および請求項１０のいずれか一項に記載の記録装置において、前記読み取り手段が、鉛直方向において前記媒体受け部の媒体排出方向下流端より下方に位置する、
ことを特徴とする記録装置。
【請求項１５】
請求項１および請求項１０のいずれかに記載の記録装置において、原稿を前記原稿移動経路に差し入れる開口部が、鉛直方向において前記媒体受け部の媒体排出方向下流端より下方に位置する、
ことを特徴とする記録装置。
【請求項１６】
請求項１、請求項８、および請求項１０のいずれか一項に記載の記録装置において、前記読み取り手段が、装置奥行き方向において前記媒体排出手段より装置後方に位置する、
ことを特徴とする記録装置。
【請求項１７】
請求項１、請求項８、および請求項１０のいずれか一項に記載の記録装置において、給送する媒体を差し入れる差し入れ口を備え、
前記読み取り手段の少なくとも一部が、鉛直方向において前記差し入れ口より下方に位置する、
ことを特徴とする記録装置。
【請求項１８】
請求項１および請求項１０のいずれかに記載の記録装置において、前記フェイスダウン排出経路に加え、前記記録部により記録が行われた媒体の直近の記録面を上にして、媒体を湾曲反転させずに媒体を排出するフェイスアップ排出経路を備え、
前記読み取り手段の少なくとも一部が、鉛直方向において前記フェイスアップ排出経路における媒体排出位置より下方に位置する、
ことを特徴とする記録装置。
【請求項１９】
請求項１、請求項８、および請求項１０のいずれか一項に記載の記録装置において、前記記録部は、液体を吐出する液体吐出ヘッドとして構成され、
前記記録部を備えるとともに前記記録部により媒体に記録を行う際の媒体搬送方向と交差する方向である幅方向に移動するキャリッジの外に、前記液体吐出ヘッドから吐出する液体を収容する液体収容部が設けられ、
前記液体収容部と前記キャリッジとが、液体の流路を形成するチューブで接続され、
前記チューブは、前記キャリッジの移動に追従して変形する変形区間を有し、
前記読み取り手段の少なくとも一部が、装置奥行き方向において前記チューブの前記変形区間より装置前方に位置する、
ことを特徴とする記録装置。
【請求項２０】
請求項１、請求項８、および請求項１０のいずれか一項に記載の記録装置において、前記記録部は、液体を吐出する液体吐出ヘッドとして構成され、
前記記録部を備えるとともに前記記録部により媒体に記録を行う際の媒体搬送方向と交差する方向である幅方向に移動するキャリッジの外に、前記液体吐出ヘッドから吐出する液体を収容する液体収容部が設けられ、
前記液体収容部と前記キャリッジとが、液体の流路を形成するチューブで接続され、
前記チューブは、前記キャリッジの移動に追従して変形する変形区間を有し、
前記読み取り手段の少なくとも一部が、鉛直方向において前記チューブの前記変形区間より上方に位置する、
ことを特徴とする記録装置。
【請求項２１】
請求項１、請求項８、および請求項１０のいずれか一項に記載の記録装置において、前記記録部は、液体を吐出する液体吐出ヘッドとして構成され、
前記記録部を備えるとともに前記記録部により媒体に記録を行う際の媒体搬送方向と交差する方向である幅方向に移動するキャリッジの外に、前記液体吐出ヘッドから吐出する液体を収容する液体収容部が設けられ、
前記読み取り手段の少なくとも一部が、鉛直方向において前記液体収容部とオーバーラップする部位を有する、
ことを特徴とする記録装置。
【請求項２２】
請求項１、請求項８、および請求項１０のいずれか一項に記載の記録装置において、前記記録部は、液体を吐出する液体吐出ヘッドとして構成され、
前記記録部を備えるとともに前記記録部により媒体に記録を行う際の媒体搬送方向と交差する方向である幅方向に移動するキャリッジの外に、前記液体吐出ヘッドから吐出する液体を収容する液体収容部が設けられ、
前記読み取り手段の少なくとも一部が、装置奥行き方向において前記液体収容部とオーバーラップする部位を有する、
ことを特徴とする記録装置。
【請求項２３】
請求項２１または請求項２２に記載の記録装置において、前記液体収容部が、装置奥行き方向と交差する方向である装置幅方向において前記読み取り手段の側方に位置する、
ことを特徴とする記録装置。
【発明の詳細な説明】
【技術分野】
【０００１】
本発明は、媒体に記録を行う記録装置に関する。
【背景技術】
【０００２】
プリンターとスキャナーとを一体化した所謂複合機は従来から知られており、例えば特許文献１にその一例が示されている。  
特許文献１記載の画像読取記録装置は、画像記録装置の上部に画像読取装置を備えている。特許文献１の画像読取装置はフラットベッドタイプに構成されており、画像記録装置に対し装置前方に突出するように設けられている。そして排出される記録紙を受ける記録紙排出台が画像記録装置の上部に設けられており、上記のように画像読取装置が画像記録装置に対して配置されていることにより、画像読取装置が記録紙排出台の上部を覆うことなく開放された状態となっている。
【先行技術文献】
【特許文献】
【０００３】
【特許文献１】特開２０１０−００８５８６号公報
【発明の概要】
【発明が解決しようとする課題】
【０００４】
特許文献１記載の画像読取記録装置では、画像読取装置が画像記録装置に対し装置前方に突出するように設けられており、装置全体として前後方向寸法が大きくなってしまう。
【課題を解決するための手段】
【０００５】
上記課題を解決する為の、本発明の記録装置は、媒体に記録を行う記録部と、記録の行われた媒体を排出する媒体排出手段と、前記媒体排出手段により排出される媒体を受ける媒体受け部と、前記記録部により記録が行われた媒体の直近の記録面を内側にして湾曲反転させて前記媒体排出手段に導くフェイスダウン排出経路と、装置の外郭を構成する筐体の上部に設けられた、原稿が移動する原稿移動経路と、前記原稿移動経路に設けられた、原稿を読み取る読み取り手段と、を備え、前記媒体受け部が、前記原稿移動経路へ原稿を差し入れる際に原稿を支持し、または、前記原稿移動経路から抜け出た原稿を支持する支持トレイを兼ねることを特徴とする。
【図面の簡単な説明】
【０００６】
【図１】プリンターの用紙搬送経路を示す側断面図。
【図２】プリンターの用紙搬送経路を示す側断面図。
【図３】プリンターの用紙搬送経路を示す側断面図。
【図４】プリンターの用紙搬送経路を示す側断面図。
【図５】プリンターの用紙搬送経路を示す側断面図。
【図６】プリンターの用紙搬送経路を示す側断面図。
【図７】プリンターの用紙搬送経路を示す側断面図。
【図８】プリンターの正面図。
【発明を実施するための形態】
【０００７】
以下、本発明を概略的に説明する。  
第１の態様に係る記録装置は、媒体に記録を行う記録部と、記録の行われた媒体を排出する媒体排出手段と、前記媒体排出手段により排出される媒体を受ける媒体受け部と、前記記録部により記録が行われた媒体の直近の記録面を内側にして湾曲反転させて前記媒体排出手段に導くフェイスダウン排出経路と、装置の外郭を構成する筐体の上部に設けられた、原稿が移動する原稿移動経路と、前記原稿移動経路に設けられた、原稿を読み取る読み取り手段と、を備え、前記媒体受け部が、前記原稿移動経路へ原稿を差し入れる際に原稿を支持し、または、前記原稿移動経路から抜け出た原稿を支持する支持トレイを兼ねることを特徴とする。
【０００８】
本態様によれば、記録装置が備える原稿読み取り機構はフラットベッドタイプではなくシートフィードタイプに構成されており、固定状態の読み取り手段に対して原稿が移動することでスキャンが実行されるタイプであり、原稿送り方向における原稿読み取り機構の長さを、スキャンする原稿の長さより短く構成できる。そしてこの様な原稿読み取り機構が、装置の外郭を構成する筐体の上部に設けられているので、原稿読み取り機構を装置前方或いは後方に突出させることなく前記媒体受け部の面積を確保でき、前記媒体受け部に排出された媒体の取り出し性を向上させることができる。  
加えて、前記媒体受け部が、前記原稿移動経路へ原稿を差し入れる際に原稿を支持し、または、前記原稿移動経路から抜け出た原稿を支持する支持トレイを兼ねるので、装置の低コスト化を図ることができる。
【０００９】
第２の態様は、第１の態様において、前記原稿移動経路は、水平に沿った経路であることを特徴とする。  
本態様によれば、前記原稿移動経路は、水平に沿った経路であるので、前記原稿移動経路への原稿の差し入れを容易に行うことができる。  
尚、「水平に沿った経路」とは、完全に水平な経路に限られず、完全な水平から多少のずれがあり、僅かに傾斜している経路を含む意味であり、即ち多少の誤差をも含む意味である。
【００１０】
第３の態様は、第２態様において、前記読み取り手段は、前記原稿移動経路に対して上側に位置していることを特徴とする。  
本態様によれば、前記読み取り手段は、前記原稿移動経路に対して上側に位置しているので、原稿の読み取り面を上にした状態で原稿を前記原稿移動経路に差し入れることができ、原稿の読み取り面が確認できるので、ユーザーの利便性が向上する。
【００１１】
第４の態様は、第２のまたは第３の態様において、前記媒体排出手段が、装置奥行き方向において前方寄りに位置するとともに装置後方に向けて媒体を排出し、前記媒体受け部は、前記媒体排出手段に対して装置後方に位置し、装置前面には、原稿を前記原稿移動経路に差し入れる開口部が設けられ、前記媒体排出手段が、前記開口部から差し入れられた原稿を前記読み取り手段に向けて送る原稿送り手段を兼ねることを特徴とする。
【００１２】
本態様によれば、前記媒体排出手段が、前記開口部から差し入れられた原稿を前記読み取り手段に向けて送る原稿送り手段を兼ねるので、装置の低コスト化を図ることができる。
【００１３】
第５の態様は、第４の態様において、前記記録部から前記フェイスダウン排出経路を経て前記媒体排出手段に至る媒体が、前記媒体排出手段から送り力を受けて前記読み取り手段と対向する位置に搬送されることを特徴とする。  
本態様によれば、前記記録部から前記フェイスダウン排出経路を経て前記媒体排出手段に至る媒体が、前記媒体排出手段から送り力を受けて前記読み取り手段と対向する位置に搬送されるので、前記記録部から前記フェイスダウン排出経路を経て前記媒体排出手段に至る媒体の読み取りも行うことができ、ユーザーの利便性が向上する。
【００１４】
第６の態様は、第１から第５の態様のいずれかにおいて、鉛直方向において前記媒体受け部と、前記原稿移動経路とが、オーバーラップする部位を有することを特徴とする。
【００１５】
本態様によれば、鉛直方向において前記媒体受け部と、前記原稿移動経路とが、オーバーラップする部位を有するので、装置の鉛直方向寸法を抑制できる。
【００１６】
第７の態様は、第１から第６の態様のいずれかにおいて、前記記録部の下側に位置する媒体収容部から送り出された媒体を湾曲反転させて前記記録部に導く媒体給送経路を備え、前記媒体給送経路と前記フェイスダウン排出経路とが、鉛直方向においてオーバーラップする部位を有することを特徴とする。
【００１７】
本態様によれば、前記媒体給送経路と前記フェイスダウン排出経路とが、鉛直方向においてオーバーラップする部位を有するので、装置の鉛直方向寸法を抑制できる。
【００１８】
第８の態様は、媒体に記録を行う記録部と、記録の行われた媒体を排出する媒体排出手段と、前記記録部により記録が行われた媒体を前記媒体排出手段に導く媒体排出経路と、を備え、前記媒体排出経路に、原稿を読み取る読み取り手段が設けられていることを特徴とする。
【００１９】
本態様によれば、記録装置が備える原稿読み取り機構はフラットベッドタイプではなくシートフィードタイプに構成されており、固定状態の読み取り手段に対して原稿が移動することでスキャンが実行されるタイプである。そしてこの様な原稿読み取り機構が、前記記録部により記録が行われた媒体を前記媒体排出手段に導く媒体排出経路に設けられているので、装置全体として小型化を図ることができる。そしてまた、排出される媒体を受ける媒体受け部の面積を確保でき、排出された媒体の取り出し性を向上させることができる。
【００２０】
第９の態様は、第８の態様において、前記媒体排出経路は、前記記録部により記録が行われた媒体の直近の記録面を内側にして湾曲反転させて前記媒体排出手段に導くフェイスダウン排出経路として構成され、前記記録部により記録が行われた媒体の直近の記録面を上にして、媒体を湾曲反転させずに媒体を排出するフェイスアップ排出経路を更に備え、前記読み取り手段は、前記フェイスダウン排出経路における上流位置であって、前記フェイスアップ排出経路を経て排出される媒体が通る位置に設けられていることを特徴とする。
【００２１】
本態様によれば、前記フェイスダウン排出経路及び前記フェイスアップ排出経路のいずれを選択する場合でも、前記読み取り手段を利用して媒体の面を読み取ることができ、ユーザーの利便性が向上する。
【００２２】
第１０の態様は、媒体に記録を行う記録部を備え、前記記録部により媒体に記録を行う際の媒体搬送方向と交差する方向である幅方向に移動するキャリッジと、記録の行われた媒体を排出する媒体排出手段と、前記媒体排出手段により排出される媒体を受ける媒体受け部と、前記記録部により記録が行われた媒体の直近の記録面を内側にして湾曲反転させて前記媒体排出手段に導くフェイスダウン排出経路と、原稿が移動する原稿移動経路と、前記原稿移動経路に設けられた、原稿を読み取る読み取り手段と、を備え、前記キャリッジと前記読み取り手段とが、鉛直方向においてオーバーラップする部位を有することを特徴とする。  
本態様によれば、記録装置が備える原稿読み取り機構はフラットベッドタイプではなくシートフィードタイプに構成されており、固定状態の読み取り手段に対して原稿が移動することでスキャンが実行されるタイプであり、原稿送り方向における原稿読み取り機構の長さを、スキャンする原稿の長さより短く構成できる。そしてこの様な原稿読み取り機構が設けられているので、原稿読み取り機構を装置前方或いは後方に突出させることなく前記媒体受け部の面積を確保でき、前記媒体受け部に排出された媒体の取り出し性を向上させることができる。  
加えて、前記キャリッジと前記読み取り手段とが、鉛直方向においてオーバーラップする部位を有するので、装置の鉛直方向寸法を抑制できる。
【００２３】
第１１の態様は、第１、第８、および第１０の態様のいずれかにおいて、媒体の搬送経路において前記記録部より下流に最初に位置し、媒体を前記搬送経路の下流に送る送りローラー対を備え、前記読み取り手段が、装置奥行き方向において前記送りローラー対より装置前方に位置することを特徴とする。  
本態様によれば、前記読み取り手段が、装置奥行き方向において前記送りローラー対より装置前方に位置する構成において、上述した第１、第８、および第１０の態様のいずれかの作用効果が得られる。
【００２４】
第１２の態様は、第１、第８、および第１０の態様のいずれかにおいて、前記記録部の下側に、給送前の媒体を収容する媒体収容部が設けられ、前記読み取り手段と前記媒体収容部とが、装置奥行き方向においてオーバーラップする部位を有することを特徴とする。  
本態様によれば、前記読み取り手段と前記媒体収容部とが、装置奥行き方向においてオーバーラップする部位を有するので、装置奥行き方向寸法を抑制できる。
【００２５】
第１３の態様は、第１および第１０の態様のいずれかにおいて、前記読み取り手段と前記フェイスダウン排出経路とが、装置奥行き方向でオーバーラップする部位を有することを特徴とする。  
本態様によれば、前記読み取り手段と前記フェイスダウン排出経路とが、装置奥行き方向でオーバーラップする部位を有するので、装置奥行き方向寸法を抑制できる。
【００２６】
第１４の態様は、第１、第８、および第１０の態様のいずれかにおいて、前記読み取り手段が、鉛直方向において前記媒体受け部の媒体排出方向下流端より下方に位置することを特徴とする。  
本態様によれば、前記読み取り手段が、鉛直方向において前記媒体受け部の媒体排出方向下流端より下方に位置するので、装置の鉛直方向寸法を抑制できる。
【００２７】
第１５の態様は、第１及び第１０の態様のいずれかにおいて、原稿を前記原稿移動経路に差し入れる開口部が、鉛直方向において前記媒体受け部の媒体排出方向下流端より下方に位置することを特徴とする。  
本態様によれば、原稿を前記原稿移動経路に差し入れる開口部が、鉛直方向において前記媒体受け部の媒体排出方向下流端より下方に位置するので、装置の鉛直方向寸法を抑制できる。
【００２８】
第１６の態様は、第１、第８、および第１０の態様のいずれかにおいて、前記読み取り手段が、装置奥行き方向において前記媒体排出手段より装置後方に位置することを特徴とする。  
本態様によれば、前記読み取り手段が、装置奥行き方向において前記媒体排出手段より装置後方に位置するので、装置奥行き方向寸法を抑制できる。
【００２９】
第１７の態様は、第１、第８、および第１０の態様のいずれかにおいて、給送する媒体を差し入れる差し入れ口を備え、前記読み取り手段の少なくとも一部が、鉛直方向において前記差し入れ口より下方に位置することを特徴とする。  
本態様によれば、前記読み取り手段の少なくとも一部が、鉛直方向において前記差し入れ口より下方に位置するので、装置の鉛直方向寸法を抑制できる。
【００３０】
第１８の態様は、第１および第１０の態様のいずれかにおいて、前記フェイスダウン排出経路に加え、前記記録部により記録が行われた媒体の直近の記録面を上にして、媒体を湾曲反転させずに媒体を排出するフェイスアップ排出経路を備え、前記読み取り手段の少なくとも一部が、鉛直方向において前記フェイスアップ排出経路における媒体排出位置より下方に位置することを特徴とする。  
本態様によれば、前記読み取り手段の少なくとも一部が、鉛直方向において前記フェイスアップ排出経路における媒体排出位置より下方に位置するので、装置の鉛直方向寸法を抑制できる。
【００３１】
第１９の態様は、第１、第８、および第１０の態様のいずれかにおいて、前記記録部は、液体を吐出する液体吐出ヘッドとして構成され、前記記録部を備えるとともに前記記録部により媒体に記録を行う際の媒体搬送方向と交差する方向である幅方向に移動するキャリッジの外に、前記液体吐出ヘッドから吐出する液体を収容する液体収容部が設けられ、前記液体収容部と前記キャリッジとが、液体の流路を形成するチューブで接続され、前記チューブは、前記キャリッジの移動に追従して変形する変形区間を有し、前記読み取り手段の少なくとも一部が、装置奥行き方向において前記チューブの前記変形区間より装置前方に位置することを特徴とする。  
本態様によれば、前記読み取り手段の少なくとも一部が、装置奥行き方向において前記チューブの前記変形区間より装置前方に位置する構成において、上述した第１、第８、および第１０の態様のいずれかの作用効果が得られる。
【００３２】
第２０の態様は、第１、第８、および第１０の態様のいずれかにおいて、前記記録部は、液体を吐出する液体吐出ヘッドとして構成され、前記記録部を備えるとともに前記記録部により媒体に記録を行う際の媒体搬送方向と交差する方向である幅方向に移動するキャリッジの外に、前記液体吐出ヘッドから吐出する液体を収容する液体収容部が設けられ、前記液体収容部と前記キャリッジとが、液体の流路を形成するチューブで接続され、前記チューブは、前記キャリッジの移動に追従して変形する変形区間を有し、前記読み取り手段の少なくとも一部が、鉛直方向において前記チューブの前記変形区間より上方に位置することを特徴とする。  
本態様によれば、前記読み取り手段の少なくとも一部が、鉛直方向において前記チューブの前記変形区間より上方に位置する構成において、上述した第１、第８、および第１０の態様のいずれかの作用効果が得られる。
【００３３】
第２１の態様は、第１、第８、および第１０の態様のいずれかにおいて、前記記録部は、液体を吐出する液体吐出ヘッドとして構成され、前記記録部を備えるとともに前記記録部により媒体に記録を行う際の媒体搬送方向と交差する方向である幅方向に移動するキャリッジの外に、前記液体吐出ヘッドから吐出する液体を収容する液体収容部が設けられ、前記読み取り手段の少なくとも一部が、鉛直方向において前記液体収容部とオーバーラップする部位を有することを特徴とする。  
本態様によれば、前記読み取り手段の少なくとも一部が、鉛直方向において前記液体収容部とオーバーラップする部位を有するので、装置の鉛直方向寸法を抑制できる。
【００３４】
第２２の態様は、第１、第８、および第１０の態様のいずれかにおいて、前記記録部は、液体を吐出する液体吐出ヘッドとして構成され、前記記録部を備えるとともに前記記録部により媒体に記録を行う際の媒体搬送方向と交差する方向である幅方向に移動するキャリッジの外に、前記液体吐出ヘッドから吐出する液体を収容する液体収容部が設けられ、前記読み取り手段の少なくとも一部が、装置奥行き方向において前記液体収容部とオーバーラップする部位を有することを特徴とする。  
本態様によれば、前記読み取り手段の少なくとも一部が、装置奥行き方向において前記液体収容部とオーバーラップする部位を有するので、装置奥行き方向寸法を抑制できる。
【００３５】
第２３の態様は、第２１及び第２２の態様において、前記液体収容部が、装置奥行き方向と交差する方向である装置幅方向において前記読み取り手段の側方に位置することを特徴とする。  
本態様によれば、前記液体収容部が、装置奥行き方向と交差する方向である装置幅方向において前記読み取り手段の側方に位置する構成において、上述した第２１の或いは第２２の態様の作用効果が得られる。
【００３６】
以下、本発明を具体的に説明する。  
以下では、本発明に係る記録装置の一例として、インクジェットプリンター１Ａ（以下、単にプリンター１Ａと称する）を例に挙げるが、媒体の一例である用紙に記録を行う方式はインクジェット方式に限られず、電子写真方式、ドットインパクト方式等、種々のものを採用可能である。  
またインクジェット方式では、キャリッジにインクカートリッジを搭載するタイプ、キャリッジ外にインク収容部を設けて当該インク収容部とキャリッジとをインクチューブで接続するタイプ等、種々の形態があり、本発明はいずれの形態にも適用可能である。尚、本実施形態に係るプリンター１Ａは、キャリッジ外にインク収容部を設けて当該インク収容部とキャリッジとをインクチューブで接続するタイプである。
【００３７】
尚、各図において示すＸ−Ｙ−Ｚ座標系はＸ方向が装置幅方向及び用紙幅方向であり、Ｙ方向が用紙に記録を行う際の用紙搬送方向及び装置前後方向（奥行き方向）であり、Ｚ方向が装置高さ方向及び鉛直方向を示している。尚、＋Ｙ方向が装置背面から装置前面に向かう方向であり、−Ｙ方向が装置前面から装置背面に向かう方向となる。  
尚、装置前面とは、装置において使用者であるユーザーと正対する面であり、装置の側面のうちいずれの側面が装置前面となるかは、装置構成や外観のデザインをもとに定まるものである。一例として、各種操作ボタンや表示部を備えて構成され、ユーザーによる操作を受け付ける操作部が設けられている場合、当該操作部が設けられている側が、多くの場合ユーザーと正対する側となる。  
また、以下では、用紙が搬送されていく方向を「下流」と称し、その反対を「上流」と称する。
【００３８】
図１においてプリンター１Ａは、装置の外郭を構成する筐体２に、後述する原稿読み取り手段としての読み取り部４を備えている。即ち、プリンター１Ａは所謂複合機である。  
筐体２において装置前方寄りには、不図示の操作部が設けられている。この操作部は、電源ボタンや各種操作ボタン等で構成される。尚、装置前方寄りとは、装置奥行き方向における中央位置よりも前方であることを意味する。
【００３９】
筐体２の前面には、第１カバー２６と第２カバー２７とが設けられている。第２カバー２７を開くことで、後述するフェイスダウン排出経路（第１用紙排出経路Ｒ３）でジャムが生じた場合のジャム処理を行うことができる。  
また、第１カバー２６を開き、且つ経路切り換え部材としての経路切換フラップ２５を開くことで、後述するフェイスアップ排出を実行可能となる。  
第１カバー２６は、回動軸２６ａを中心に回動することで開閉する。第２カバー２７は、第１カバー２６と一体となって、回動軸２６ａを中心に回動することで開閉する。図２は、第１カバー２６と第２カバー２７とが一体となって回動し、開いた状態を示している。  
第１カバー２６と第２カバー２７とが一体となって回動し、開いた場合、第１カバー２６及び第２カバー２７は、後述するフェイスアップ排出経路としての第２用紙排出経路Ｒ４（図２）を介して排出される用紙を受ける用紙受け部として機能する。
【００４０】
続いてプリンター１Ａにおいて用紙が通る経路について説明する。  
図１乃至図３においては、用紙が通る経路を破線または一点鎖線で示している。具体的には、図１において符号Ｒ１は用紙給送経路を示している。用紙給送経路Ｒ１は、本実施形態では用紙収容部８から送りローラー対１２に至る経路である。  
また、符号Ｒ３はフェイスダウン排出経路としての第１用紙排出経路を示している。第１用紙排出経路Ｒ３は、本実施形態では第２中間ローラー対１８から排出ローラー対２９に至る経路である。  
また図３において符号Ｒ５は用紙給送経路を示している。用紙給送経路Ｒ５は、本実施形態では装置後方の給送口６０から差し入れられた用紙が、給送ローラー６１を経て送りローラー対１２に至る経路である。  
また図３において符号Ｒ７はスイッチバック経路を示している。スイッチバック経路Ｒ７は、送りローラー対１２から従動ローラー１１ｄを経て従動ローラー１１ａに至る経路であり、用紙の両面に記録を行うために用紙を反転させる際に利用される経路で或る。
【００４１】
以下、更に詳説する。筐体２２の底部には、複数枚の用紙を収容可能な用紙収容部８が設けられている。用紙収容部８に収容された用紙は、不図示のモーターにより駆動されるピックアップローラー９により下流に送り出される。図１において符号Ｐｈは、用紙収容部８に収容された用紙の一例を示している。  
ピックアップローラー９の下流には、不図示のモーターにより駆動される反転ローラー１０が設けられ、用紙収容部８から送り出された用紙は、反転ローラー１０により湾曲反転させられて、不図示のモーターにより駆動される下流の送りローラー対１２に向けて送られる。
【００４２】
尚、反転ローラー１０の周囲には、従動ローラー１１ａ、１１ｂ、１１ｃ、１１ｄ、が設けられており、これら従動ローラーによって用紙が反転ローラー１０に対して押し付けられる。  
尚、従動ローラー１１ａ、１１ｂ、１１ｃ、のこれらは用紙給送経路Ｒ１に設けられており、従動ローラー１１ｄは、スイッチバック経路Ｒ７（図３）に設けられている。
【００４３】
送りローラー対１２の下流には、用紙を支持する用紙支持部１６と、用紙に液体の一例であるインクを吐出して記録を実行する記録部及び液体吐出ヘッドの一例である記録ヘッド１５とが対向配置されている。記録ヘッド１５はキャリッジ１４に設けられ、キャリッジ１４は不図示のモーターにより用紙幅方向に往復駆動される。
【００４４】
キャリッジ１４の外部には、液体収容部としてのインクタンク１９（図８参照）が設けられている。インクタンク１９とキャリッジ１４とは、インク流路を形成するチューブ２０により接続されている。チューブ２０は、キャリッジ１４の移動に追従して変形する変形区間２０ａ（図８参照）を有している。変形区間２０ａは、チューブ２０が湾曲反転する部位を含んでいる。  
尚、図８においてインクタンク１９の前面には残量視認部１９ａが設けられており、残量視認部１９ａを介してインクタンク１９内部の液面の位置を視認可能となっている。また、インクタンク１９の上部には上部カバー２１が設けられており、上部カバー２１を開くことにより、インクタンク１９へのインク補充作業を行える様に構成されている。
【００４５】
図１に戻り、記録ヘッド１５の下流には、記録ヘッド１５の下流に最初に位置するローラー対である第１中間ローラー対１７が設けられ、第１中間ローラー対１７の下流には、第２中間ローラー対１８が設けられている。記録の行われた用紙は、第１中間ローラー対１７及び第２中間ローラー対１８によって下流に送られる。
【００４６】
第２中間ローラー対１８の下流には、経路切換フラップ２５が設けられている。経路切換フラップ２５は、不図示の揺動軸を中心に揺動可能に設けられている。この経路切換フラップ２５は、本実施形態ではユーザー操作により揺動させる構成である。  
ここでプリンター１Ａは、用紙排出経路として二つの経路を選択可能であり、一つは記録の行われた用紙の直近の記録面を下にして排出するフェイスダウン排出経路としての第１用紙排出経路Ｒ３（図１）であり、もう一つは記録の行われた用紙の直近の記録面を上にして排出するフェイスアップ排出経路としての第２用紙排出経路Ｒ４（図２）である。
【００４７】
フェイスダウン排出経路である第１用紙排出経路Ｒ３を利用する場合、経路切換フラップ２５は、図１で示す様な第１状態としての斜め傾斜姿勢で保持される。フェイスアップ排出経路である第２用紙排出経路Ｒ４を利用する場合、経路切換フラップ２５は、図２で示すような第２状態としての水平姿勢で保持される。  
経路切換フラップ２５の斜め傾斜姿勢での保持は、本実施形態では不図示のスナップフィット機構により成される。経路切換フラップ２５の水平姿勢での保持は、本実施形態では不図示の支持部で経路切換フラップ２５を支持することにより成される。
【００４８】
用紙を湾曲反転させる第１用紙排出経路Ｒ３の終了位置には、用紙排出手段としての排出ローラー対２９が設けられている。排出ローラー対２９は、不図示のモーターにより駆動される排出駆動ローラー２９ａと、従動回転する排出従動ローラー２９ｂとを備えて構成されている。  
排出ローラー対２９によって排出された用紙は、媒体受け部としての用紙受け部３２に載置される。用紙受け部３２の上面が、排出された用紙を受ける用紙受け面となる。
【００４９】
用紙受け部３２は、本実施形態では上流から下流に向かって第１排紙トレイ３４、第２排紙トレイ３５、のこれらを備えて構成される。第１排紙トレイ３４、第２排紙トレイ３５、のそれぞれの上面が、用紙受け面を構成する。図２において符号Ｐｆは、載置される用紙の一例を示している。  
第１排紙トレイ３４は、不図示の回動軸を中心に回動することで開閉可能となっており、開くことでキャリッジ１４及びその周囲へのアクセスが可能となっている。
【００５０】
用紙受け部３２の下流側には、排出される用紙の先端が当接することで用紙先端位置を規制するストッパー３７が設けられている。このストッパー３７により、排出される用紙の、用紙受け部３２からの飛び出しが規制される。
【００５１】
以上がプリンター１Ａの大略構成であり、以下、プリンター１Ａにおける原稿読み取り機構について説明する。  
記録ヘッド１５により記録が行われた用紙の直近の記録面を内側にして湾曲反転させて排出ローラー対２９に導くフェイスダウン排出経路としての第１用紙排出経路Ｒ３の上方であって、筐体２の上部には、原稿を読み取る読み取り機構３が設けられている。  
読み取り機構３は、原稿が移動する原稿移動経路３ａを備えており、原稿移動経路３ａには、原稿読み取り手段としての読み取り部４が設けられている。読み取り部４は、本実施形態ではＣＩＳ（Contact Image Sensor）モジュールで構成されている。
【００５２】
そして図４に示す様に、用紙受け部３２が、原稿移動経路３ａへ原稿を差し入れる際に原稿を支持し、または、原稿移動経路３ａから抜け出た原稿を支持する支持トレイを兼ねることとなる。図４において符号Ｇは、原稿の移動軌跡を示している。また図４において矢印Ｆａは、読み取り機構３に対して原稿が装置後方に向けて差し入れられる際の差し入れ方向を示しており、矢印Ｆｂは、読み取り機構３に対して原稿が装置前方に向けて差し入れられる際の差し入れ方向を示している。  
尚、読み取り部４と対向する位置には送りローラー５が設けられており、読み取り部４において送りローラー５と対向する位置には読み取りガラス４ａが設けられていて、原稿が送りローラー５と読み取りガラス４ａとでニップされた状態で送りローラー５が回転することで、原稿が送られる。不図示のモーターによって送りローラー５が図４の反時計回り方向に回転すれば、原稿は装置後方に向けて送られる。逆に送りローラー５が図４の時計回り方向に回転すれば、原稿は装置前方に向けて送られる。
【００５３】
送りローラー５の回転方向は、例えば送りローラー５の前後に原稿先端を検出するセンサーを設け、いずれのセンサーが原稿先端を検出したかに基づいて決定することができる。例えば、送りローラー５に対し装置前方に設けられたセンサーが原稿先端を検知すれば、原稿が装置前面から後方に向けて差し入れられたと判断できるので、送りローラー５を図４の反時計回り方向に回転させる。また、送りローラー５に対し装置後方に設けられたセンサーが原稿先端を検知すれば、原稿が装置後方から前方に向けて差し入れられたと判断できるので、送りローラー５を図４の時計回り方向に回転させる。  
但し、原稿を差し入れることができる方向は上述の様に双方向である必要はなく、いずれか一方であっても良い。
【００５４】
この様な構成により、以下の作用効果が得られる。読み取り機構３はフラットベッドタイプではなくシートフィードタイプに構成されており、固定状態の読み取り部４に対して原稿が移動することでスキャンが実行されるタイプであり、原稿送り方向における読み取り機構３の長さを、スキャンする原稿の長さより短く構成できる。そしてこの様な読み取り部４が、装置の外郭を構成する筐体２の上部に設けられているので、読み取り部４を装置前方或いは後方に突出させることなく用紙受け部３２の面積を確保でき、用紙受け部３２に排出された用紙の取り出し性を向上させることができる。  
加えて、用紙受け部３２が、原稿移動経路３ａへ原稿を差し入れる際に原稿を支持し、または、原稿移動経路３ａから抜け出た原稿を支持する支持トレイを兼ねるので、装置の低コスト化を図ることができる。
【００５５】
また本実施形態において原稿移動経路３ａは、水平に沿った経路であるので、原稿移動経路３ａへの原稿の差し入れを容易に行うことができる。  
尚、「水平に沿った経路」とは、完全に水平な経路に限られず、完全な水平から多少のずれがあり、僅かに傾斜している経路を含む意味であり、即ち多少の誤差をも含む意味である。
【００５６】
また本実施形態では、読み取り部４は、原稿移動経路３ａに対して上側に位置しているので、原稿の読み取り面を上にした状態で原稿を原稿移動経路に差し入れることができ、原稿の読み取り面が確認できるので、ユーザーの利便性が向上する。
【００５７】
また本実施形態では、排出ローラー対２９が、装置奥行き方向において前方寄りに位置するとともに装置後方に向けて用紙を排出し、用紙受け部３２は、排出ローラー対２９に対して装置後方に位置している。そして装置前面には、原稿を原稿移動経路３ａに差し入れる開口部３ｂが設けられ、排出ローラー対２９が、開口部３ｂから差し入れられた原稿を読み取り部４に向けて送る原稿送り手段を兼ねるので、装置の低コスト化を図ることができる。
【００５８】
尚、図４において符号Ｇで示す原稿移動軌跡は、水平に沿って原稿を移動させる際の軌跡であるが、図１から明かな様に、フェイスダウン排出経路としての第１用紙排出経路Ｒ３を経て排出ローラー対２９に至る用紙が、排出ローラー対２９から送り力を受けて読み取り部４と対向する位置に搬送される。  
即ち、記録の行われた用紙の読み取りも行うことができ、利便性が向上する。
【００５９】
また本実施形態においては、鉛直方向において用紙受け部３２と、原稿移動経路３ａとが、オーバーラップする部位を有するので、装置の鉛直方向寸法を抑制できる。
【００６０】
また本実施形態では、図１に示す様に用紙給送経路Ｒ１とフェイスダウン排出経路としての第１用紙排出経路Ｒ３とが、鉛直方向においてオーバーラップする部位を有するので、装置の鉛直方向寸法を抑制できる。図１において範囲Ｈ１は、上記のオーバーラップする部位を示している。
【００６１】
尚、上記実施形態では、読み取り部４を原稿移動経路３ａの上側に設けたが、下側に設けても良いし、或いは図５に示すプリンター１Ｂの様に原稿移動経路３ａの上側と下側の双方に設け、原稿の両面の読み取りを行う様にしても良い。  
また、プリンター１Ａは記録の行われた用紙をスイッチバック経路Ｒ７（図３）に送り、反転することができるので、読み取り部４が原稿移動経路３ａの上側或いは下側のいずれか一方のみ設けられている場合でも、用紙のおもて面及びうら面のうち所望する面の読み取りを行うことができる。
【００６２】
続いて、プリンターの他の実施形態について図６を参照しつつ説明する。図６に示すプリンター１Ｃは、読み取り部４が、用紙排出経路に設けられている点に特徴がある。  
より具体的には、読み取り部４は、第２中間ローラー対１８の下流であって、経路切換フラップ２５と対向する位置に設けられている。  
この位置は、図１に示した第１用紙排出経路Ｒ３に含まれる位置であり、また、図２に示した第２用紙排出経路Ｒ４に含まれる位置でもある。  
即ち、第１用紙排出経路Ｒ３を選択する場合、及び第２用紙排出経路Ｒ４を選択する場合のいずれであっても、読み取り部４によって用紙の面を読み取ることができる。
【００６３】
この様に用紙排出経路に読み取り部４が設けられていることで、装置全体として小型化を図ることができる。そしてまた、排出される用紙を受ける用紙受け部３２の面積を確保でき、排出された用紙の取り出し性を向上させることができる。
【００６４】
また、用紙排出経路に読み取り部４が設けられたことで、記録ヘッド１５によって記録の行われた記録内容を読み取ることができる。これにより、例えばノズルチェックパターンを記録して読み取ることができ、記録ヘッド１５が備えるインク吐出ノズルの状態をプリンターの制御部が把握でき、インク吐出ノズルのクリーニング動作や、ノズル位置調整などのメンテナンス動作を自動で行うことができる。これは、図１乃至図５を参照しつつ説明した実施形態でも同様である。
【００６５】
また上述の通り、本実施形態において読み取り部４は、フェイスダウン排出経路としての第１用紙排出経路Ｒ３における上流位置であって、フェイスアップ排出経路としての第２用紙排出経路Ｒ４を経て排出される用紙が通る位置に設けられているので、第１用紙排出経路Ｒ３及び第２用紙排出経路のいずれを選択する場合でも、読み取り部４を利用して用紙の面を読み取ることができ、ユーザーの利便性が向上する。
【００６６】
但し読み取り部４の配置はこれに限られず、フェイスダウン排出経路としての第１用紙排出経路Ｒ３の途中に設け、当該第１用紙排出経路Ｒ３を選択した場合のみ利用可能としても良いし、或いはフェイスアップ排出経路としての第２用紙排出経路Ｒ４の途中に設け、当該第２用紙排出経路Ｒ４を選択した場合のみ利用可能としても良い。  
或いは、読み取り部４を用紙排出経路ではなく、記録ヘッド１５よりも上流に設けることもできる。例えば、本実施形態では反転ローラー１０と送りローラー対１２との間に読み取り部４を設けることもできる。
【００６７】
続いて各実施形態のその他の特徴について説明する。  
図５に示すプリンター１Ｂ、及び図６に示すプリンター１Ｃは、キャリッジ１４と読み取り部４とが、鉛直方向においてオーバーラップする部位を有する。図５に示す範囲Ｈ２及び図６に示す範囲Ｈ３は、キャリッジ１４と読み取り部４とが、鉛直方向においてオーバーラップする範囲を示している。この様な構成により、装置の鉛直方向寸法を抑制できる。
【００６８】
また図４に示すプリンター１Ａ、図５に示すプリンター１Ｂ、及び図６に示すプリンター１Ｃ、のこれらは、読み取り部４が、用紙搬送経路において記録ヘッド１５より下流に最初に位置する第１中間ローラー対１７に対し、装置奥行き方向において装置前方に位置する。
【００６９】
また図４に示すプリンター１Ａ、図５に示すプリンター１Ｂ、及び図６に示すプリンター１Ｃ、のこれらは、読み取り部４と用紙収容部８とが、装置奥行き方向においてオーバーラップする部位を有する。図４に示す範囲Ｄ１、図５に示す範囲Ｄ２、及び図６に示す範囲Ｄ３は、読み取り部４と用紙収容部８とが、装置奥行き方向においてオーバーラップする範囲を示している。この様な構成により、装置奥行き方向寸法を抑制できる。
【００７０】
また図４に示すプリンター１Ａ、図５に示すプリンター１Ｂ、及び図６に示すプリンター１Ｃ、のこれらは、読み取り部４と、フェイスダウン排出経路としての第１用紙排出経路Ｒ３とが、装置奥行き方向でオーバーラップする部位を有する。図４に示す範囲Ｄ１、図５に示す範囲Ｄ２、及び図６に示す範囲Ｄ３は、読み取り部４と、第１用紙排出経路Ｒ３とが、装置奥行き方向でオーバーラップする範囲を示している。この様な構成により、装置奥行き方向寸法を抑制できる。  
また、図４に示すプリンター１Ａ、図５に示すプリンター１Ｂ、及び図６に示すプリンター１Ｃ、のこれらは、読み取り部４と、フェイスダウン排出経路としての第１用紙排出経路Ｒ３とが、鉛直方向でオーバーラップする部位を有する。図５に示す範囲Ｈ２及び図６に示す範囲Ｈ３は、読み取り部４と、第１用紙排出経路Ｒ３とが、鉛直方向においてオーバーラップする範囲を示している。この様な構成により、装置の鉛直方向寸法を抑制できる。
【００７１】
また図４に示すプリンター１Ａ、図５に示すプリンター１Ｂ、及び図６に示すプリンター１Ｃ、のこれらは、読み取り部４が、鉛直方向において用紙受け部３２の用紙排出方向下流端より下方に位置する。図４、図５、図６において符号３２ａは、用紙受け部３２の用紙排出方向下流端を示している。この様な構成により、装置の鉛直方向寸法を抑制できる。
【００７２】
また図４に示すプリンター１Ａおよび図５に示すプリンター１Ｂは、原稿を原稿移動経路３ａに差し入れる開口部３ｂが、鉛直方向において用紙受け部３２の用紙排出方向下流端３２ａより下方に位置する。この様な構成により、装置の鉛直方向寸法を抑制できる。
【００７３】
また図４に示すプリンター１Ａ、図５に示すプリンター１Ｂ、及び図６に示すプリンター１Ｃ、のこれらは、読み取り部４が、装置奥行き方向において排出ローラー対２９より装置後方に位置する。この様な構成により、装置奥行き方向寸法を抑制できる。
【００７４】
また図５に示すプリンター１Ｂ及び図６に示すプリンター１Ｃは、給送する用紙を差し入れる差し入れ口としての給送口６０を備え、読み取り部４の少なくとも一部が、鉛直方向において給送口６０より下方に位置する。給送口６０の鉛直方向における位置は、図５及び図６において符号Ｚ１で示している。この様な構成により、装置の鉛直方向寸法を抑制できる。
【００７５】
また図７に示すプリンター１Ｄは、読み取り部４の少なくとも一部が、鉛直方向においてフェイスアップ排出経路としての第２用紙排出経路Ｒ４（図２）における用紙排出位置より下方に位置している。  
図７に示すプリンター１Ｄは、図６を参照して説明したプリンター１Ｃとは異なり、読み取り部４が送りローラー５に対して下側に設けられている。また図７において符号Ｚ２は、フェイスアップ排出する際の鉛直方向における用紙排出位置を示している。この様に読み取り部４の少なくとも一部が鉛直方向においてフェイスアップ排出の際の用紙排出位置Ｚ２より下方に位置する構成により、装置の鉛直方向寸法を抑制できる。
【００７６】
また図４に示すプリンター１Ａ、図５に示すプリンター１Ｂ、及び図６に示すプリンター１Ｃ、のこれらは、読み取り部４の少なくとも一部が、装置奥行き方向においてチューブ２０の変形区間２０ａより装置前方に位置する。  
また、読み取り部４の少なくとも一部が、鉛直方向においてチューブ２０の変形区間２０ａより上方に位置する。
【００７７】
また図５に示すプリンター１Ｂ及び図６に示すプリンター１Ｃは、読み取り部４の少なくとも一部が、鉛直方向においてインクタンク１９（図８参照）とオーバーラップする部位を有する。図５に示す範囲Ｈ２及び図６に示す範囲Ｈ３は、読み取り部４とインクタンク１９とが、鉛直方向においてオーバーラップする範囲を示している。この様な構成により、装置の鉛直方向寸法を抑制できる。  
また読み取り部４は、装置奥行き方向においても、インクタンク１９（図８参照）とオーバーラップする部位を有する。図５に示す範囲Ｄ２及び図６に示す範囲Ｄ３は、読み取り部４とインクタンク１９とが、装置奥行き方向においてオーバーラップする範囲を示している。この様な構成により、装置の奥行き方向寸法を抑制できる。
【００７８】
また、図８に示す様にプリンター１Ａは、装置幅方向においてインクタンク１９が、読み取り部４の側方に位置する。
【００７９】
更に本発明は上記において説明した実施形態に限定されることなく、特許請求の範囲に記載した発明の範囲内で、種々の変形が可能であり、それらも本発明の範囲内に含まれるものであることは言うまでもない。
【符号の説明】
【００８０】
１Ａ、１Ｂ、１Ｃ…インクジェットプリンター、２…筐体、３…読み取り機構、４…読み取り部、５…送りローラー、８…用紙収容部、９…ピックアップローラー、１０…反転ローラー、１１ａ、１１ｂ、１１ｃ、１１ｄ…従動ローラー、１２…送りローラー対、１４…キャリッジ、１５…記録ヘッド、１６…用紙支持部、１７…第１中間ローラー対、１８…第２中間ローラー対、１９…インクタンク、１９ａ…残量視認部、２０…チューブ、２１…上部カバー、２５…経路切換フラップ、２６…第１カバー、２７…第２カバー、２９…排出ローラー対、３２…用紙受け部、３４…第１排紙トレイ、３５…第２排紙トレイ、３７…ストッパー、６０…給送口、６１…給送ローラー、６２…分離ローラー
【図１】
2020050520.tif 000003
【図２】
2020050520.tif 000004
【図３】
2020050520.tif 000005
【図４】
2020050520.tif 000006
【図５】
2020050520.tif 000007
【図６】
2020050520.tif 000008
【図７】
2020050520.tif 000009
【図８】
2020050520.tif 000010